(57)【要約】【課題】テレビジョン受像機のリモコンによる電源操作をしやすくするための電源制御方法を提供する。【解決手段】上記課題を解決するため、電子機器における電源のオン又はオフ状態を、電子機器に組み込まれた電源ＬＥＤにより表示する電子機器において、電子機器へコマンドを入力する外部入出力手段による、電源オフ操作直後に電源オン操作した時、所定の回路に対して、規定期間電源をオフした後にオンする電源制御手段と、外部入出力手段による電源オフ操作直後に電源オン操作した場合、規定期間内に、電源ＬＥＤに対して電源をオンする電源ＬＥＤ制御手段とを備えたことを特徴とする。【選択図】図１
2011160308.tif 000002
【特許請求の範囲】
【請求項１】
電子機器における電源のオン又はオフ状態を、前記電子機器に組み込まれた電源ＬＥＤにより表示する電子機器において、
前記電子機器へコマンドを入力する外部入出力手段による、電源オフ操作直後に電源オン操作した時、所定の回路に対して、規定期間電源をオフした後にオンする電源制御手段と、
前記外部入出力手段による電源オフ操作直後に電源オン操作した場合、前記規定期間内に、前記電源ＬＥＤに対して電源をオンする電源ＬＥＤ制御手段とを備えたことを特徴とする電子機器。
【請求項２】
前記電子機器は、さらに、前記規定期間内に、出画しようとしていることを示すためにパネルをオンするパネル制御手段をさらに備えた請求項１記載の電子機器。
【請求項３】
電子機器における電源のオン又はオフ状態を、前記電子機器に組み込まれた電源ＬＥＤにより表示する電子機器制御方法において、
前記電子機器へコマンドを入力する外部入出力手段による、電源オフ操作直後に電源オン操作した時、所定の回路に対して、規定期間電源をオフした後にオンする電源制御ステップと、
前記外部入出力手段による電源オフ操作直後に電源オン操作した場合、前記規定期間内に、前記電源ＬＥＤに対して電源をオンする電源ＬＥＤ制御ステップとを備えたことを特徴とする電子機器制御方法。
【請求項４】
前記電子機器制御方法は、さらに、前記既定期間内に、出画しようとしていることを示すためにパネルをオンするパネル制御ステップをさらに備えた請求項１記載のテレビジョン受像機における電子機器制御方法。
【発明の詳細な説明】
【技術分野】
【０００１】
本発明は、テレビジョン受像機等の電子機器における電源制御装置及びその方法に関する。
【背景技術】
【０００２】
従来、電源状態に応じてＬＥＤの色を変える方法が知られている（例えば、特許文献１参照）。また、テレビジョン受像機等の電子機器において、リモコン等の電子機器へコマンドを入力する外部入出力手段による電源オフ、オン操作時に、電源ＬＥＤをそれぞれオフ、オンする変更する方法が知られている。
【先行技術文献】
【特許文献】
【０００３】
【特許文献１】特開平４−１１５７９１号公報
【発明の概要】
【発明が解決しようとする課題】
【０００４】
しかしながら、テレビジョン受像機に搭載されている電源によっては、規定期間オフする制約があるため、リモコンによる電源オフ操作直後に電源オン操作が受け付けられないという課題があった。
【０００５】
本発明は、かかる状況に鑑みて、リモコンによる電源オフ操作直後でもリモコンオン操作を受け付けるようにするための電源制御方法を提供することを目的とする。
【課題を解決するための手段】
【０００６】
上記課題を解決するため、電子機器における電源のオン又はオフ状態を、電子機器に組み込まれた電源ＬＥＤにより表示する電子機器において、電子機器へコマンドを入力する外部入出力手段による、電源オフ操作直後に電源オン操作した時、所定の回路に対して、規定期間電源をオフした後にオンする電源制御手段と、外部入出力手段による電源オフ操作直後に電源オン操作した場合、規定期間内に、電源ＬＥＤに対して電源をオンする電源ＬＥＤ制御手段とを備えたことを特徴とする。
【発明の効果】
【０００７】
以上のように、本発明のテレビジョン受像機によれば、電子機器へコマンドを入力する外部入出力手段による電源オフ操作直後に電源オン操作がなされた場合であっても、迅速にユーザーに対して、電源の状態が変更されたことを迅速に表示することが可能になるものである。
【図面の簡単な説明】
【０００８】
【図１】本発明の一実施の形態におけるテレビジョン受像機を示すブロック図
【図２】本発明の一実施の形態におけるテレビジョン受像機のリモコンによる電源オフ操作時（電源オフ入力時）の処理手順を示すフローチャート
【図３】本発明の一実施の形態におけるテレビジョン受像機のリモコンによる電源オン操作時（電源オン入力時）の処理手順を示すフローチャート
【図４】本発明の一実施の形態におけるテレビジョン受像機の電源オン制御の処理手順を示すフローチャート
【図５】本発明の他の実施の形態におけるテレビジョン受像機を示すブロック図
【図６】本発明の他の実施の形態におけるテレビジョン受像機の電源オン制御の処理手順を示すフローチャート
【発明を実施するための形態】
【０００９】
以下本発明を実施するための最良の形態について、図面を参照しながら説明する。
（実施の形態１）
図１は本発明の実施の形態１によるテレビジョン受像機の構成を示すブロック図である。
【００１０】
テレビジョン受像機１０１は、リモコン信号を受信するリモコン入力部１０３と、電源ＬＥＤをオン、オフする電源ＬＥＤ制御部１０４と、電源ＬＥＤ以外のその他の回路についての電源をオン、オフする電源制御部１０５と、前記リモコン入力部１０３、電源ＬＥＤ制御部１０４、電源制御部１０５を制御するマイクロコンピュータ１０２で構成されている。なお、電源制御部１０５により電源が制御されるその他の回路としては、例えば、デコーダ回路や復調回路等が考えられる。
【００１１】
次に、本実施の形態１によるテレビジョン受像機１０１のリモコンによる電源オフ操作時（電源オフ入力時）の処理を図２に示すフローチャートを用いて説明する。
【００１２】
まず、電源オフ信号がリモコンから入力されると、規定期間、電源オン禁止期間を設定し（ステップ２０１）、電源をオフし（ステップ２０２）、電源ＬＥＤをオフする（ステップ２０３）。ここで、電源オン禁止期間を設定する理由としては、電源オフ信号により各回路における電荷の処理が行われており、その間に再度電源オン信号による電荷の処理を排除するためである。
【００１３】
次に、本実施の形態１によるテレビジョン受像機１０１のリモコンによる電源オン操作時（電源オン入力時）の処理を図３に示すフローチャートを用いて説明する。
【００１４】
電源オン要求フラグをオンし（ステップ３０１）、電源ＬＥＤをオンする（ステップ３０２）。
【００１５】
次に、本実施の形態１によるテレビジョン受像機１０１の電源オン制御の処理を図４に示すフローチャートを用いて説明する。なお、図４のフローチャートは周期的に実行されるものとする。
【００１６】
電源オン要求フラグがオフの場合（ステップ４０１でN）、何も行わない。電源オン禁止期間が経過していない場合（ステップ４０２でN）、ステップ４０５に移行する。一方、電源オン要求フラグがオンの場合（ステップ４０１でY）かつ電源オン禁止期間が経過した場合（ステップ４０２でY）、全ての回路に対して電源をオンし（ステップ４０３）、電源オン要求フラグをオフする（ステップ４０４）。
【００１７】
次に、ステップ４０５に移行した場合の処理について説明する。上述したように、ステップ４０１において電源オン要求がなされているか否かの判別が行われ、さらに、ステップ４０２において電源オン禁止期間を経過しているか否かが判別され、ステップ４０５は、電源オン要求がなされているものの、電源オン禁止期間が経過していない場合の処理について説明している。この場合には、本テレビジョン受像機１０１は、テレビジョン受像機１０１における電源のオン又はオフ状態を表示する、テレビジョン受像機に組み込まれた電源ＬＥＤの電源のみをオン状態に変更する（ステップ４０５）。
以上のように、テレビジョン受像機１０１は、リモコンによる電源オフ操作直後でもリモコンオン操作が可能となる。
（実施の形態２）
図５は本発明の実施の形態２によるテレビジョン受像機５０１の構成を示すブロック図である。
【００１８】
テレビジョン受像機５０１において、パネル制御部５０６を実施の形態１から追加し、それ以外の構成要素に関しては実施の形態１と同様であり、説明を省略する。
【００１９】
次に、本実施の形態２によるテレビジョン受像機５０１の電源オン制御の処理を図６に示すフローチャートを用いて説明する。なお、図６のフローチャートは周期的に実行されるものとする。
【００２０】
電源オン要求フラグがオフの場合（ステップ６０１でN）、何も行わない。電源オン禁止期間が経過していない場合（ステップ６０２でN）、ステップ６０５、６０６に移行する。電源オン要求フラグがオンの場合（ステップ６０１でY）かつ電源オン禁止期間が経過した場合（ステップ６０２でY）、全ての回路に対する電源をオンし（ステップ６０３）、電源オン要求フラグをオフする（ステップ６０５）。
【００２１】
次に、ステップ６０５、６０６に移行した場合の処理について説明する。上述したように、ステップ６０１において電源オン要求がなされているか否かの判別が行われ、さらに、ステップ６０２において電源オン禁止期間を経過しているか否かが判別され、ステップ６０５は、電源オン要求がなされているものの、電源オン禁止期間が経過していない場合の処理について説明している。この場合には、本テレビジョン受像機１０１は、テレビジョン受像機１０１における電源のオン又はオフ状態を表示する、テレビジョン受像機に組み込まれた電源ＬＥＤの電源をオン状態に変更する（ステップ６０５）。次に、パネルの電源をオン状態に変更する（ステップ６０６）。
以上のように、テレビジョン受像機５０１は、リモコンによる電源オフ操作直後でもリモコンオン操作が可能となることに加え、出画しようとしていることが視認可能となる。
【００２２】
なお、本実施の形態１及び２では、コンピュータプログラムによってそれぞれの手段が制御されることで実現したが、このコンピュータプログラムをＤＶＤ等の記録媒体に記録しておくことにより、移送が可能となり、独立した他のテレビジョン受像機においても容易に実施することが可能である。
【００２３】
なお、本実施の形態１及び２においては、電子機器の一例として、テレビジョン受像機について説明したが、本発明はこれに限定されるものではなく、他の電子機器に応用することも可能である。また、本実施の形態１及び２においては、外部入出力手段の一例として、リモコンについて説明したが、本発明はこれに限定されるものではなく、例えば、電子機器自体に配置されているボタン等を利用することも可能である。
【産業上の利用可能性】
【００２４】
本発明の電子機器は、リモコン入力部、電源ＬＥＤ制御部、電源制御部、パネル制御部が備わった全てのＡＶ機器で有用である。
【符号の説明】
【００２５】
１０１    テレビジョン受像機
１０２    マイクロコンピュータ
１０３    リモコン入力部
１０４    電源ＬＥＤ制御部
１０５    電源制御部
５０１    テレビジョン受像機
５０２    マイクロコンピュータ
５０３    リモコン入力部
５０４    電源ＬＥＤ制御部
５０５    電源制御部
５０６    パネル制御部 
【図１】
2011160308.tif 000003
【図２】
2011160308.tif 000004
【図３】
2011160308.tif 000005
【図４】
2011160308.tif 000006
【図５】
2011160308.tif 000007
【図６】
2011160308.tif 000008